(57)【特許請求の範囲】
【請求項１】
長尺帯状の金属薄板にフレームあるいは枚葉状シート単位で多面付けしてエッチング部品を作製する工程とエッチング部品が形成された前記長尺帯状の金属薄板をフレームあるいは枚葉状シート単位に分離する工程とを少なくとも有するエッチング部品の製造方法において、
長尺帯状の金属薄板をフォトエッチング加工して、長尺帯状の金属薄板にフレームあるいは枚葉状シート単位で多面付けされ、かつ、フレームあるいは枚葉状シート単位に帯状の切断領域を形成したエッチング部品とし、前記切断領域の両側にはハーフエッチングされた直線ラインもしくはハーフエッチング領域と貫通領域が所定の間隔で形成された点線ラインからなる易破断性の切断線及び前記切断領域の両端部にタブがそれぞれ形成されており、前記切断領域の前記タブを引っ張って前記切断線にて切断を行い、前記切断領域を金属板から除去し、フレームあるいは枚葉状シート単位に分離することを特徴とするエッチング部品の製造方法。
【請求項２】
前記切断領域の前記タブの両側にＶ字状の切れ込みが形成されていることを特徴とする請求項１記載のエッチング部品の製造方法。
【発明の詳細な説明】
【０００１】
【発明の属する技術分野】
本発明は長尺帯状の金属薄板にフレーム単位で多面付けしてメッシュ、リードフレーム等のエッチング部品を作製した後、個々のフレーム単位に分離、分割するエッチング部品の製造方法に関する。
【０００２】
【従来の技術】
近年、長尺帯状の金属薄板にメッシュ、リードフレーム等のエッチング部品を多面付けして、メッシュ、リードフレーム等のエッチング部品を作製する際まず、フォトエッチング加工によりメッシュ、リードフレーム等のエッチング部品を作製した後個々のフレームもしくは枚葉状シート単位に切断、分割してエッチング部品を製造する方式がもっぱら採用されている。
【０００３】
メッシュ、リードフレーム等のエッチング部品が形成されたフレーム単位をブリッジ方式にて分離、分割するエッチング部品の製造方法について説明する。
図２（ａ）に、メッシュ、リードフレーム等のエッチング部品が形成されたフレーム単位がブリッジを介して多面付されて配置され、エッチング加工されたエッチングシートの一例を示す模式平面図を、図２（ｂ）に、ブリッジをハサミあるいは断裁機等で機械的に切断してフレーム単位に分離した状態を示す模式平面図をそれぞれ示す。
まず、長尺帯状の金属薄板５１に公知のフォトリソ法を用いたエッチング処理を行う。これにより、メッシュ、リードフレーム等のエッチング部品６１が面付けして形成されたフレーム単位（５０ａ、５０ｂ、５０ｃ、５０ｄ）となったエッチングシート５０が得られる。各フレーム単位間にはブリッジ５２を形成し、ブリッジ５２にてフレーム単位を連結している（図２（ａ）参照）。
次に、エッチングシート５０のブリッジ５２をハサミあるいは断裁機等で機械的に切断して、フレーム単位（５０ａ、５０ｂ、５０ｃ、５０ｄ）のエッチング部品６１を得る（図２（ｂ）参照）。
【０００４】
ブリッジ５２が機械的に切断されたフレーム単位のエッチング部品６１は図２（ｂ）に示すように、フレームの切断面には凸状のブリッジ残り５２ａが必ず発生する。このブリッジ残り５２ａはフレーム間で接触したり、折れ曲がったりして、エッチング部品６１を傷つけたりして、傷不良等が発生するという問題がある。
また、ブリッジ残り５２ａは人手で作業する際手を傷つけたりするため、切断後のフレーム単位のエッチング部品６１の取り扱いには注意を要し、能率も落ちる。
【０００５】
【発明が解決しようとする課題】
本発明は上記問題点に鑑み考案されたもので、長尺帯状の金属薄板にフレーム単位で多面付けされたエッチング部品を効率よく、安全に個々のフレーム単位に分離するエッチング部品の製造方法を提供することを目的とする。
【０００６】
【課題を解決するための手段】
本発明に於いて上記問題を解決するため、まず請求項１においては、長尺帯状の金属薄板にフレームあるいは枚葉状シート単位で多面付けしてエッチング部品を作製する工程とエッチング部品が形成された前記長尺帯状の金属薄板をフレームあるいは枚葉状シート単位に分離する工程とを少なくとも有するエッチング部品の製造方法において、
長尺帯状の金属薄板をフォトエッチング加工して、長尺帯状の金属薄板にフレームあるいは枚葉状シート単位で多面付けされ、かつ、フレームあるいは枚葉状シート単位に帯状の切断領域を形成したエッチング部品とし、前記切断領域の両側にはハーフエッチングされた直線ラインもしくはハーフエッチング領域と貫通領域が所定の間隔で形成された点線ラインからなる易破断性の切断線及び前記切断領域の両端部にタブがそれぞれ形成されており、前記切断領域の前記タブを引っ張って前記切断線にて切断を行い、前記切断領域を金属板から除去し、フレームあるいは枚葉状シート単位に分離することを特徴とするエッチング部品の製造方法としたものである。
【０００７】
また、請求項２においては、前記切断領域の前記タブの両側にＶ字状の切れ込みが形成されたことを特徴とする請求項１記載のエッチング部品の製造方法としたものである。
【０００８】
【発明の実施の形態】
本発明は長尺帯状の金属薄板をフォトエッチング加工して、長尺帯状の金属薄板にフレームあるいは枚葉状シート単位で多面付けされたエッチング部品において、面付け間に帯状の切断領域を形成している。前記切断領域の両側は切断線としている。また、前記切断領域の両端部はタブを形成している。分離時、前記切断領域の前記タブを人手もしくは機械的に引っ張って前記切断線より切断して切断領域を金属薄板より除去し、フレームあるいは枚葉状シート単位に分離する。
ここで、タブの引っ張り方向は、例えば、板の上方に向けるものであり、このとき、切断領域は弓状に曲がりながら板より切断されてゆく。かかる方法により、多面付けされたフレームあるいは枚葉状シート単位のエッチング部品はフレームあるいは枚葉状シート単位に安全に、効率よく分離される。
【０００９】
図１（ａ）に、長尺帯状の金属薄板にメッシュ、リードフレーム等のエッチング部品をフレームあるいは枚葉状シート単位に多面付けしてエッチング加工したエッチングシートの一実施例を示す模式平面図を、図１（ｂ）に、切断領域のタブを用いてフレームあるいは枚葉状シート単位に分離した状態を示す模式平面図を、それぞれ示す。
具体的には、まず、長尺帯状の金属薄板１１をエッチング加工して、メッシュ、リードフレーム等のエッチング部品２１が多面付けされたフレームあるいは枚葉状シート単位（１０ａ、１０ｂ、１０ｃ、１０ｄ）が、多面付けされたフレームあるいは枚葉状シート単位間に帯状の切断領域１２が、帯状の切断領域１２の両側に切断線１４ａ及び１４ｂが、帯状の切断領域１２の両端にタブ１２ａが、タブ１２ａの両側にＶ字型の切り込み１３がそれぞれ形成されたエッチングシート１０を作製する（図１（ａ）参照）。
ここで、切断線１４ａ及び１４ｂとしては、切断を容易とするため、易破断性の線とすることが望ましく、例えばハーフエッチングされた直線ラインもしくはハーフエッチング領域と貫通領域が所定の間隔で形成された点線ラインのいずれかを用いるのが望ましい。
【００１０】
次に、エッチングシート１０の帯状の切断領域１２のタブ１２ａの少なくとも一方を人手もしくは機械的に引っ張って切断線１４ａ及び１４ｂにて金属薄板からの切断を行い、切断領域１２を金属薄板より除去し、フレームあるいは枚葉状シート単位に分離、分割して、エッチング部品２１が形成されたフレームあるいは枚葉状シート単位（１０ａ、１０ｂ、１０ｃ、１０ｄ）を作製する。
ここで、切断領域の端部が帯状のままだと、引っ張りの際端部を持ちにくい。しかし、切断領域の端部を帯状部より広くしたタブ形状とすることで、引っ張りの際にタブを持ち易くなり、切断を容易に行うことが可能となる。
また、切断領域１２のタブ１２ａの両側にＶ字型の切り込み１３を設けることにより、切断領域１２のタブ１２ａを引っ張って切断線１４ａ及び１４ｂを切断する際にわずかの力で切断線１４ａ及び１４ｂを切断できるようになる。
上記の方法で、フレーム単位のエッチング部品を作製することにより、フレーム単位の切断面が直線状となり、従来のブリッジ方式のブリッジ残りで発生していたエッチング部品の変形不良を防止できる。
また、人手による切断、分離作業を安全に、効率よく実施できる。
さらにまた、断裁機を使用しないため、エッチング部品の搬送、移動による変形不良を防止できる。
【００１１】
【発明の効果】
本発明のエッチング部品の製造方法を用いることにより、フレームあるいは枚葉状シート単位のエッチング部品の人手による切断、分離作業を安全に、効率よく行うことができ、且つエッチング部品の変形不良を防止できる。
【図面の簡単な説明】
【図１】（ａ）は、メッシュ、リードフレーム等のエッチング部品が形成されたフレームあるいは枚葉状シート単位が帯状の切断領域を介して多面付されてエッチング加工されたエッチングシートの一実施例を示す模式平面図である。
（ｂ）は、切断領域のタブを用いてフレームあるいは枚葉状シート単位に分離した状態を示す模式平面図である。
【図２】（ａ）は、メッシュ、リードフレーム等のエッチング部品が形成されたフレーム単位がブリッジを介して多面付されてエッチング加工されたエッチングシートの一実施例を示す模式平面図である。
（ｂ）は、ブリッジをハサミあるいは断裁機等で機械的に切断してフレームあるいは枚葉状シート単位に分離した状態を示す模式平面図である。
【符号の説明】
１０、５０……エッチングシート
１０ａ、１０ｂ、１０ｃ、１０ｄ……フレームあるいは枚葉状シート
１１、５１……金属薄材
１２……切断領域
１２ａ……タブ
１３……Ｖ字状の切り込み
１４ａ、１４ｂ……切断線
２１、６１……エッチング部品
５０ａ、５０ｂ、５０ｃ、５０ｄ……フレーム
５２……ブリッジ
５２ａ……ブリッジ残り
【図１】
0004706146.tif 000002
【図２】
0004706146.tif 000003